(57)【特許請求の範囲】
【請求項１】
中央部に長穴を設け、この長穴と外周部とを吊りボルトの径より大なる寸法の切り欠きで連通し、前記吊りボルトに設けたナットで固定するナット受け部と、
このナット受け部とＬ字形状を構成する本体取り付け部と、
この本体取り付け部の片側に前記ナット受け部と反対側に垂直に折り曲げた曲げ部と、
前記ナット受け部の前記切り欠き側の端部を略９０°折り曲げ、さらに略１８０°折り返し、ナット受け面より反対側にその折り返しが突出した折り返し部とを有する吊り金具を、
前記本体取り付け部から第１の本体側板に向かってねじ止めするとともに、
前記第１の本体側板の横端部に設けた第１の角穴に前記曲げ部を挿入し、
第２の本体側板からねじ止めしてなる吊り下げ装置。
【発明の詳細な説明】
【０００１】
【発明の属する技術分野】
本発明は、吊り下げて設置する換気空調機器の吊り下げ装置に関するものである。
【０００２】
【従来の技術】
近年、換気空調機器はその普及に伴い施工性の向上やコスト低減が求められている。
【０００３】
従来、この種の吊り下げ装置は、図６および図７に示すような構成が一般的であった。以下、その構成について図を参照しながら説明する。
【０００４】
図に示すように、換気空調機器本体１０１の側板１０２の内側に補強板１０３を設け、側板１０２を挟んで吊り金具１０４と補強板１０３をねじ１０５にて固定するとともに、吊り金具１０４の中央には、外周部と切り欠き１０６で連通する長穴１０７を設け、外周部には折り返し１０８を設けている。
【０００５】
上記構成において、長穴１０７にナット１０９を取り付けた吊りボルト１１０を矢印Ｘのように切り欠き１０６を介して挿入し、長穴１０７の部分においてナット１０９に掛け
ることにより換気空調機器本体１０１を吊り下げることになる。
【０００６】
【発明が解決しようとする課題】
このような従来の吊り下げ装置では、吊り金具１０４を固定するために補強板１０３を設けて側板１０２を固定するか、側板１０２そのものの板厚を厚くする必要があり、材料費、加工費が増加するという問題があった。
【０００７】
また、換気空調機器本体１０１の天地逆設置の場合は、ナット受け部端部の下側に折り返しがないため、吊り下げ時ナット１０９が外れやすくなり、吊り金具１０４の付け替えが必要であった。
【０００８】
本発明はこのような課題を解決するもので、吊り金具の本体取り付け部をＬ字形状にし、第１の本体側板に向かってねじ止めするとともに、第２の本体側板より吊り金具の曲げ部を強固にねじで固定する。また、ナット受け部の端部を上下に折り返しているため、換気空調機器本体の天地逆設置の吊り下げ工事でもナット外れがない。このことにより補強板等が不要でコスト低減とともに施工性改善が可能となる吊り下げ装置を提供することを目的とする。
【０００９】
また、他の目的は、右横端部用と左横端部用の２種類の吊り金具を必要としない、１種類の吊り金具ですむことにより、製造コストを低減することにある。
【００１０】
また、他の目的は、換気空調機器本体のいずれの本体側板にも吊り金具が取り付け可能とし、施工性を改善することにある。
【００１１】
【課題を解決するための手段】
上記課題を解決するために本発明は、中央部に長穴を設け、この長穴と外周部とを吊りボルトの径より大なる寸法の切り欠きで連通し、前記吊りボルトに設けたナットで固定するナット受け部と、このナット受け部とＬ字形状を構成する本体取り付け部と、この本体取り付け部の片側に前記ナット受け部と反対側に垂直に折り曲げた曲げ部と、前記ナット受け部の前記切り欠き側の端部を略９０°折り曲げ、さらに略１８０°折り返し、ナット受け面より反対側にその折り返しが突出した折り返し部とを有する吊り金具を、前記本体取り付け部から第１の本体側板に向かってねじ止めするとともに、前記第１の本体側板の横端部に設けた第１の角穴に前記曲げ部を挿入し、第２の本体側板からねじ止めするように構成したものである。
【００１２】
これにより、天地逆設置の吊り下げ工事でもナットが外れず、補強板等が不要でコスト低減とともに施工性のよい吊り下げ装置が得られる。
【００１３】
【発明の実施の形態】
本発明の請求項１に記載の発明は、中央部に長穴を設け、この長穴と外周部とを吊りボルトの径より大なる寸法の切り欠きで連通し、前記吊りボルトに設けたナットで固定するナット受け部と、このナット受け部とＬ字形状を構成する本体取り付け部と、この本体取り付け部の片側に前記ナット受け部と反対側に垂直に折り曲げた曲げ部と、前記ナット受け部の前記切り欠き側の端部を略９０°折り曲げ、さらに略１８０°折り返し、ナット受け面より反対側にその折り返しが突出した折り返し部とを有する吊り金具を、前記本体取り付け部から第１の本体側板に向かってねじ止めするとともに、前記第１の本体側板の横端部に設けた第１の角穴に前記曲げ部を挿入し、第２の本体側板からねじ止めしたものであり、ナット受け部の端部を上下に折り返しているため、本体を天地逆に吊り下げ設置してもナット外れがなく、施工性をよくするという作用を有する。
【００１４】
以下、本発明の実施例について、図面を用いて説明する。
【００１５】
（実施例１）
図１に示すように、換気空調機器本体３０の第１の本体側板１０に設けた吊り金具９は、中央部に長穴１を設け、この長穴１と外周部とを吊りボルト２の径より大なる寸法の切り欠き３で連通し、吊りボルト２に設けたナット４で固定するナット受け部５を有している。このナット受け部５と換気空調機器本体３０の第１の本体側板１０側に設けた本体取り付け部７とでＬ字形状を構成している。本体取り付け部７の片側にナット受け部５とは反対側に垂直に曲げ部６を設けている。さらに、折り返し部８を設けており、折り返し部８はナット受け部５の端部に設けた略９０°折り曲げ、さらにナット受け面より下側に略１８０°折り返したものである。
【００１６】
本体側板１０の横端部には第１の角穴１１を設けている。
【００１７】
そして、吊り金具９の曲げ部６を第１の角穴１１に挿入し、ねじ１２により本体取り付け部７から第１の本体側板１０に向かって締め付けるとともに、第２の本体側板１３の外側より吊り金具９の曲げ部６に向かって締め付けている。
【００１８】
上記構成により、ナット４を設けた吊りボルト２を矢印Ｙのように吊り金具９の切り欠き３に入れ、ナット４の上にナット受け部５を乗せることにより換気空調機器本体３０を吊り下げることが可能となる。
【００１９】
このように本発明の第１実施例の吊り下げ装置によれば、吊り金具９にかかる換気空調機器本体３０の重量は、そのほとんどが折り曲げにより強度が上がった第２の本体側板１３の外側より吊り金具９の曲げ部６に向かって締め付けたねじ１２で支えることができるため、本体取り付け部７から第１の本体側板１０に向かって締め付けたねじ１２の締め付け強度は弱くても吊り金具９を強固に取り付けることが可能となり、換気空調機器本体３０を安定して吊り下げることができる。
【００２０】
また、ナット受け部５の端部に設けた略９０°折り曲げさらにナット受け部５より下側に略１８０°折り返した折り返し部８を設けたため、ナット受け部の上下に折り返しがあり、換気空調機器本体３０を天地逆設置にしても吊り下げ時のナット外れがなく、吊り金具を付け替える必要がない。
【００２１】
（参考例１）
次に第１の参考例について図１および図２を参照しながら説明する。
【００２２】
図に示すように、第１の本体側板１０の両横端部に第１の角穴１１と上下方向の位置を変えた第２の角穴１４を設け、吊り金具９の上下方向の位置を変え（ひっくり返す）てもナット受け部５の高さ位置がＡ＝Ｂとなるように構成している。
【００２３】
上記構成により、１種類の吊り金具９を第１の本体側板１０両端部に吊り金具９の一方をひっくり返して設けることとなる。
【００２４】
このように本発明の第２実施例の吊り下げ装置によれば、第１の本体側板１０の両横端部に１種類の吊り金具９を一方はひっくり返して、ナット受け部５が同高さになるよう（Ａ＝Ｂ）に取り付けるため、１種類の吊り金具９でよく、右横端部用と左横端部用の２種類の吊り金具を必要としない。また、ナット受け部５の端部に設けた略９０°折り曲げさらにナット受け部５より下側に略１８０°折り返した折り返し部８を設けたため、ナット受け部５の上下に折り返しがあり、換気空調機器本体３０を天地逆設置にしても吊り下げ
時のナット外れがなく、吊り金具を付け替える必要がない。
【００２５】
（参考例２）
次に第２の参考例について、図１および図３を参照しながら説明する。
【００２６】
図に示すように、吊り金具Ｂ１７は、吊り金具９とは反対側の本体取り付け部７の片側に曲げ部６Ａを設けたものである。
【００２７】
そして、第１の角穴１１を設けた第１の本体側板１０と同陵の第２の本体側板１３の横端部に第３Ａの角穴１５を設けたため、吊り金具Ｂ１７を第２の本体側板１３に取り付け可能となる。
【００２８】
（参考例３）
次に第３の参考例について、図３および図４を参照しながら説明する。
【００２９】
図に示すように、第１の角穴１１と上下方向の位置を変え、第１の角穴１１の上辺を下辺とし、かつ第１の角穴１１と同陵に第３Ｂの角穴１６を設ける。
【００３０】
そして、この第３Ｂの角穴１６に曲げ部６を挿入する時は、吊り金具の天地を逆にする（ひっくり返す）ことによりナット受け部５の位置をＢ＝Ｃとしたものである。
【００３１】
上記構成により、吊り金具９の一方をひっくり返してもナット受け部５の位置がＢ＝Ｃで、１種類の吊り金具で換気空調機器本体３０の４面の側板に吊り金具９の取り付けが可能となる。
【００３２】
（参考例４）
次に第４の参考例について図５を参照しながら説明する。
【００３３】
図に示すように、吊り金具Ｃ２５は、中央部に吊りボルト２の径より大なる丸穴２０を設け、この丸穴２０と外周部とを丸穴２０の径と同じ幅の切り欠き２１で連通し、切り欠き２１の両脇の外周部を折り返しＬ字形にして爪部２２をつくり、吊りボルト２に設けたナット４で固定するナット受け部２３と、このナット受け部２３の換気空調機器本体３０側に設け、ナット受け部２３と同形状の本体取り付け部２４とを有している。
【００３４】
そして、吊り金具Ｃ２５を、本体取り付け部２４から第１の本体側板１０に向かってねじ止めするとともに、第１の本体側板１０に設けた第１の角穴１１に爪部２２を挿入し、第２の本体側板１３からねじ止めしている。
【００３５】
また、吊り金具Ｃ２５を第２の本体側板１３に設けた第３の角穴１５にも取り付けられる。
【００３６】
上記構成により、ナット４を設けた吊りボルト２を矢印Ｚのように吊り金具２５の切り欠き２１に入れ、ナット４の上にナット受け部２３を乗せることにより換気空調機器本体３０を吊り下げることが可能となる。
【００３７】
【発明の効果】
以上の実施例から明らかなように、本発明によれば、吊り金具の本体取り付け部をＬ字形状にし、第１の本体側板に向かってねじ止めするとともに、第２の本体側板より吊り金具の曲げ部を強固にねじで固定する。また、ナット受け部の端部を上下に折り返しているため、換気空調機器本体を天地逆設置の吊り下げ工事でもナット外れがない。このことに
より補強板等を不要としてコスト低減とともに施工性改善が可能となる。
【００３８】
また、第１の本体側板の両横端部に１種類の吊り金具を一方はひっくり返して、ナット受け部５が同高さになるよう（Ａ＝Ｂ）に取り付けるため、１種類の吊り金具でよく、右横端部用と左横端部用の２種類の吊り金具を必要としない。また、ナット受け部の端部に設けた略９０°折り曲げさらにナット受け面より下側に略１８０°折り返した折り返し部を設けたため、ナット受け面の上下に折り返しがあり、換気空調機器本体を天地逆設置にしても吊り下げ時のナット外れがなく、吊り金具を付け替える必要がない。
【図面の簡単な説明】
【図１】  本発明の実施例１および参考例の吊り下げ装置の本体と吊り金具の取り付け方法を示す斜視図
【図２】  参考例１の吊り下げ装置の本体と吊り金具の設置状態を示す斜視図
【図３】  （ａ）参考例２の吊り下げ装置の第１の本体側板と吊り金具の設置状態を示す斜視図
（ｂ）同第２の本体側板と吊り金具Ｂの設置状態を示す斜視図
【図４】  参考例３の吊り下げ装置の本体と吊り金具の設置状態を示す斜視図
【図５】  （ａ）参考例４の吊り下げ装置の第１の本体側板と吊り金具Ｃの設置状態を示す斜視図
（ｂ）同第２の本体側板と吊り金具Ｃの設置状態を示す斜視図
【図６】  従来の吊り下げ装置の本体との設置状態を示す斜視図
【図７】  同断面図
【符号の説明】
１        長穴
２        吊りボルト
３        切り欠き
４        ナット
５        ナット受け部
６        曲げ部
７        本体取り付け部
８        折り返し部
９        吊り金具
１０      第１の本体側板
１１      第１の角穴
１２      ねじ
１３      第２の本体側板
１４      第２の角穴
１５      第３Ａの角穴
１６      第３Ｂの角穴
１７      吊り金具Ｂ
２０      丸穴
２１      切り欠き
２２      爪部
２３      ナット受け部
２４      本体取り付け部
２５      吊り金具Ｃ
３０      換気空調機器本体
【図１】
0004657434.tif 000002
【図２】
0004657434.tif 000003
【図３】
0004657434.tif 000004
【図４】
0004657434.tif 000005
【図５】
0004657434.tif 000006
【図６】
0004657434.tif 000007
【図７】
0004657434.tif 000008